(57)【特許請求の範囲】
【請求項１】
洪水などの非常時に建物の室内へ浸水が入り込むのを防止するものであって、
左右側部と上下部が連続した四角形状の枠体からなり、室内へ浸水による水の浸入可能性のある扉の周りを包囲するように建物壁に設置されたシート受け用部材と、
このシート受け用部材と縦横の寸法がほぼ等しく形成されてシート受け用部材の上方の建物壁に巻回状に設置された止水シートと、を備え、
前記止水シートは巻回方向の外端部が前記シート受け用部材の上部に固着されており、
非常時に際して、前記止水シートの巻回を解放して引き伸ばし前記シート受け用部材の開口した前面を全面にわたり被覆した後、この止水シートとシート受け用部材を水密保持して固定手段で固定することを特徴とする扉止水方法。
【請求項２】
洪水などの非常時に建物の室内へ浸水が入り込むのを防止するものであって、
左右側部と上下部が連続した四角形状の枠体からなり、室内へ浸水による水の浸入可能性のある扉の周りを包囲するように建物壁に設置されたシート受け用部材と、
このシート受け用部材と縦横の寸法がほぼ等しく形成されてシート受け用部材の上方の壁に巻回状に設置され、巻回方向の外端部が前記シート受け用部材の上部に固着された止水シートと、
前記シート受け用部材の外側の壁に前記扉を挟むように複数個設置されたフックと、
前記止水シートの裏面における前記シート受け用部材と対応する位置に設けられた水密保持部材と、
この水密保持部材が設けられた止水シートとシート受け用部材を固定する手段と、
を備えていることを特徴とする扉止水装置。
【請求項３】
前記シート受け用部材は、断面方形のブロック体からなっている請求項２に記載の扉止水装置。
【請求項４】
前記ブロック体は、硬質塩化ビニール製樹脂からなっている請求項３に記載の扉止水装置。
【請求項５】
前記ブロック体の上下部、及び左右側部に当接して止水シートの端部を押さえるＬ形アングルを備えている請求項３又は４に記載の扉止水装置。
【請求項６】
前記水密保持部材は、ゴムパッキンからなり、シート受け用部材の寸法に合わせて止水シートの裏面に取り付けられている請求項２ないし５のいずれかに記載の扉止水装置。
【請求項７】
前記アングルは、硬質塩化ビニール製樹脂からなっている請求項５に記載の扉止水装置。
【請求項８】
前記ブロック体の下部は、左右側部、及び上部の幅寸法より長い寸法のプレート状に形成されており、建物壁側に設置された扉枠の高さと同高程度になるように固着され、該下部の上面に左右側部の下面が載るように配置され、左右側部の前面、下部の上面に止水シートが下端部を折り曲げて取り付けられている請求項４に記載の扉止水装置。
【請求項９】
前記固定手段は、ブロック体の左右側部より外側の壁にブロック体の高さ方向に複数段、左右に対となって設置されたフックと、これら左右一対のフック間に介装され、扉の前面に配置される止水シートをブロック体に押さえる緊締バンドと、からなっている請求項２ないし８のいずれかに記載の扉止水装置。
【請求項１０】
前記緊締バンドは、荷締め用のナイロンバンドである請求項９に記載の扉止水装置。
【発明の詳細な説明】
【技術分野】
【０００１】
この発明は、扉止水方法及び装置に関し、さらに詳しくは洪水などの非常時に建物の電気室及びポンプ室、エレベーター機械室などの扉周りを簡単かつ迅速に止水し、室内のライフラインを浸水から保護するようにした技術に係るものである。
【背景技術】
【０００２】
昨今の異常気象によって予想しえない大量の降雨がもたらされ、それを原因とする河川の氾濫などによる建物への浸水が起こっている。建物にはポンプ・電気室などのライフラインが設けられているが、何の対策もとっていないと浸水した水はこれらの室内へ入り込み、建物全体の電気や水の供給を遮断して、居住者の生活に大きな打撃を与える。
【０００３】
このような現況に鑑み、従来から浸水対策のための扉止水装置として、各種のものが提案されてきた。提案されているものとしては、止水板タイプと、止水シートタイプがある。前者は例えば特許文献１に示すものである。これは、建物の屋内側と屋外側とを連通し、かつ扉によって開閉される開口部の幅方向に対応して設けられた一対の縦方立に取り付けられる第１止水板と、第２止水板と、補強部材とを備え、これら止水板等によって建物内への浸水を防止する。
【０００４】
しかし、この止水板式のものではある程度の浸水量を抑えることができても浸水が止水板の高さを超えると、止水の役を果たすことができず、浸水を完全に防ぐことはできなかった。しかも、止水板の設置に少なくとも多く（３人以上）の作業者を必要とするし、設置時間も長くかかるという問題があった。
【０００５】
また、後者は例えば特許文献２に示すものである。これは、シートの両端、及び心材を保持部材の上端からシート保持部内に挿入し、挿入配置後に下部が床面上に引き出すとともに、上部を吸盤で扉等に吸着するようにして浸水を防止する。
【０００６】
しかし、このシート式のものもシートの上端は扉の中間高さ位置にとどまり、浸水を完全に防ぐことはできなかった。
【０００７】
前記のように、従来知られているものは止水板タイプであれ、止水シートタイプであれ、開口部のある扉において所定の高さまでの浸水には耐えられるものの、扉の全高にわたり浸水するのを防止し、完全に浸水対策として有効なものではなかった。しかも、設置に際して多くの作業者が必要とし、設置にも時間がかかるといった問題があった。
【先行技術文献】
【特許文献】
【０００８】
【特許文献１】特開２０１９−１２３９８９号公報
【特許文献２】特開２０１５−１４０５６３号公報
【発明の概要】
【発明が解決しようとする課題】
【０００９】
そこで、発明者等は、既設建物のライフラインを確保するために、電気室及びポンプ室、エレベーター機械室など、様々な室内のほか、窓や換気口への浸水を防ぐことが肝要であることに鑑み、浸水対策として扉全体を止水シートにて被うことに思いをめぐらし、この発明を完成させるに至った。すなわち、この発明は、前記従来の問題を解決し、扉の全高さにわたり水嵩が上がっても浸水を防止することができる扉止水方法及び装置を提供することを目的とする。
【課題を解決するための手段】
【００１０】
前記課題を解決するために、請求項１に記載の発明は、洪水などの非常時に建物の室内へ浸水が入り込むのを防止するものであって、左右側部と上下部が連続した四角形状の枠体からなり、室内へ浸水による水の浸入可能性のある扉の周りを包囲するように建物壁に設置されたシート受け用部材と、このシート受け用部材と縦横の寸法がほぼ等しく形成されてシート受け用部材の上方の建物壁に巻回状に設置された止水シートと、を備え、前記止水シートは巻回方向の外端部が前記シート受け用部材の上部に固着されており、非常時に際して、前記止水シートの巻回を解放して引き伸ばし前記シート受け用部材の開口した前面を全面にわたり被覆した後、この止水シートとシート受け用部材を水密保持して固定手段で固定することを特徴とする。
【００１１】
請求項２に記載の発明は、洪水などの非常時に建物の室内へ浸水が入り込むのを防止するものであって、左右側部と上下部が連続した四角形状の枠体からなり、室内へ浸水による水の浸入可能性のある扉の周りを包囲するように建物壁に設置されたシート受け用部材と、このシート受け用部材と縦横の寸法がほぼ等しく形成されてシート受け用部材の上方の壁に巻回状に設置され、巻回方向の外端部が前記シート受け用部材の上部に固着された止水シートと、前記シート受け用部材の外側の壁に前記扉を挟むように複数個設置されたフックと、前記止水シートの裏面における前記シート受け用部材と対応する位置に設けられた水密保持部材と、この水密保持部材が設けられた止水シートとシート受け用部材を固定する手段と、を備えていることを特徴とする。
【００１２】
請求項３に記載の発明は、請求項２において、前記シート受け用部材は、断面方形のブロック体からなっている。請求項４に記載の発明は、請求項３において、前記ブロック体は、硬質塩化ビニール製樹脂からなっている。請求項５に記載の発明は、請求項３又は４において、前記ブロック体の左右側部、及び下部に当接して止水シートの端部を押さえるＬ形アングルを備えている。請求項６に記載の発明は、請求項２ないし５のいずれかにおいて、前記水密保持部材は、ゴムパッキンからなり、シート受け用部材の寸法に合わせて止水シートの裏面に取り付けられている。
【００１３】
請求項７に記載の発明は、請求項５において、前記アングルは、硬質塩化ビニール製樹脂からなっている。請求項８に記載の発明は、請求項４において、前記ブロック体の下部は、左右側部、及び上部の幅寸法より長い寸法のプレート状に形成されており、建物壁側に設置された扉枠の高さと同高程度になるように固着され、該下部の上面に左右側部の下面が載るように配置され、左右側部の前面、下部の上面に止水シートが下端部を折り曲げて取り付けられている。請求項９に記載の発明は、請求項２ないし８のいずれかにおいて、前記固定手段は、ブロック体の左右縁部より外側の壁にブロック体の高さ方向に複数段、対となって設置されたフックと、これら左右一対のフック間に介装され、扉の前面に配置される止水シートをブロック体に押さえる緊締バンドと、からなっている。請求項１０に記載の発明は、請求項９において、前記緊締バンドは、荷締め用のナイロンバンドである。
【発明の効果】
【００１４】
この発明は、前記のようであって、請求項１に記載の発明によれば、左右側部と上下部が連続した四角形状の枠体からなり、室内へ浸水による水の浸入可能性のある扉の周りを包囲するように建物壁に設置されたシート受け用部材と、このシート受け用部材と縦横の寸法がほぼ等しく形成されてシート受け用部材の上方の建物壁に巻回状に設置された止水シートと、を備え、前記止水シートは巻回方向の外端部が前記シート受け用部材の上部に固着されており、非常時に際して、前記止水シートの巻回を解放して引き伸ばし前記シート受け用部材の開口した前面を全面にわたり被覆した後、この止水シートとシート受け用部材を水密保持して固定手段で固定するので、従来の扉止水方法ではできなかった扉の全高さにわたり水嵩が上がっても浸水を防止することができる。また、設置に際しても作業が止水シートの引き出しと固定という簡単なもので済むため、２人以下の作業者でも設置ができる。しかも、非常時のあわただしさの中でも、短時間で設置することができるという優れた効果が期待できる。
【００１５】
請求項２ないし１０に記載の発明によれば、左右側部と上下部が連続した四角形状の枠体からなり、室内へ浸水による水の浸入可能性のある扉の周りを包囲するように建物壁に設置されたシート受け用部材と、このシート受け用部材と縦横の寸法がほぼ等しく形成されてシート受け用部材の上方の壁に巻回状に設置され、巻回方向の外端部が前記シート受け用部材の上部に固着された止水シートと、前記シート受け用部材の外側の壁に前記扉を挟むように複数個設置されたフックと、前記止水シートの裏面における前記シート受け用部材と対応する位置に設けられた水密保持部材と、この水密保持部材が設けられた止水シートとシート受け用部材を固定する手段と、を備えているので、請求項１に記載の扉止水方法と同様な効果を期待することができる。
【図面の簡単な説明】
【００１６】
【図１】この発明の一実施の形態の扉止水装置の全体を示す概略正面図である。
【図２】同上の概略側断面図である。
【図３】図１の線Ａ−Ａで切断した概略平断面図である。
【図４】止水シートの展開状態を示す図面である。
【図５】設置完了の状態を示す概略平断面図である。
【図６】設置完了の状態を示す概略正面図である。
【図７】ブロック体の変形例を示す要部拡大図である。
【図８】窓に適用した例を示す図である。
【発明を実施するための形態】
【００１７】
以下、図面を参照しながら、この発明の一実施の形態について説明する。
【００１８】
図１において、１は扉止水装置であり、建物の１階、半地下など、浸水の可能性のある室、例えばポンプ室や電気室の外部扉Ｄの周りに設置されている。扉Ｄは、その下端位置が床スラブより一段高くなった設計となっている。この例では扉Ｄは片開き式のものを示したが、両開き式にも適用可能であるし、窓など引き違い扉（サッシを含む）にも適用可能である。
【００１９】
扉止水装置１において、扉Ｄの上方の建物壁にはシート巻回収納庫２がアンカー等により固定状態で設置されている。また、扉Ｄの外側の建物壁には左右側部と上下部が連続した四角形状の枠体からなるブロック体３が扉Ｄの周りを包囲するように裏面に塗布した不定形シーリング剤１３を介してアンカー等により固定状態で設置されている。ブロック体３は、硬質塩化ビニール樹脂からなり、これを構成する左右側部と上下部の断面寸法はいずれも縦１００ｍｍ×横１００ｍｍ程度となっている。これによりブロック体３は、壁面からの突出量が扉Ｄから離れた所定に定められ、図２，３からも明らかのように扉ノブよりも外方へ突出する。このブロック体３は、シート受け用部材としての役割を担っている。
【００２０】
シート巻回収納庫２内には止水シート巻上装置が設置されている。この巻上装置は巻芯１４と、この巻芯の両端部に固定された円形ガイド板１６と、建物壁に長さ調整可能にアンカー固定された吊りベルト１７と、このベルトの先端に取り付けられたフック１８からなっている。ガイド板１６の外周縁にはフック掛け穴１９が円周方向に等間隔で多数穿設され、この穴に前記フック１８が掛け止めされるようになっている。
【００２１】
しかして、前記のように設置された巻上装置の巻芯１４には止水シート５が巻回され、図示しないバンドで止められ保持されている。止水シート５は、２ｍｍ厚程度の塩化ビニール製シートからなり、図４に示すように、正面視の幅、長さともブロック体３のそれと同じ寸法に形成されている。そして通常時は図２の実線で示すようにシート巻回収納庫２内の巻芯１４に巻回されて保持された状態にあるが、非常時には同図に鎖線で示すように収納庫の下方開口部から手動にて下方へ引き伸ばして取り出し、ブロック体３の開口した前面を全面にわたり被覆することが可能になっている。
【００２２】
止水シートにおいて壁側となる背面には水密保持部材としてのゴムパッキン６がブロック体３の寸法に合わせ、ブロック体３とほぼ同形に形成されて接着により固着されている。外端側のゴムパッキン６と接する止水シート５の外端部５ａはブロック体３の上部頂面に溶着されている。止水シート５においてこの溶着部から内端側のゴムパッキン６は止水シート５を引き伸ばすと、ブロック体３の左右側部、上下部のそれぞれ前面に合致するよう位置合わせされ、配置されるようになっている。止水シート５の材質については、同効のものでブロック体３と固着が可能であれば、塩化ビニール以外のものでもよい。
【００２３】
図１，２において、７は止水シート押え用のＬ形アングルで、その角部から直角に張り出した両辺の寸法は１００ｍｍ×５０ｍｍ程度となっている。このアングル７も、ブロック体３等と同様に硬質塩化ビニール樹脂からなっている。アングル７の内角を形成する片面には滑り止め用ゴム板（図示省略）が取り付けられている。そして、ブロック体３の左右側部と上下部の４か所の角部にそれぞれその内向き角部が当接し合うようにして配置され、取り付けられる。その際、前記ゴム板が止水シート５と当接する形になる。このアングル７を取り付けることにより、止水シート５の上下、左右の弛みや滑りをなくすことが可能になる。
【００２４】
８はベルト取付用のステンレス製フックで、ブロック体３の左右縁部より外側の壁にアンカーなどの固定手段にて固定されている。フック８はブロック体３の高さ方向に所定ピッチの間隔で複数段（この例では５段）にわたり、左右に対となって固定される。１０は緊締ベルトである。緊締ベルト１０は、この例では荷締め用のナイロンバンドからなり、左右に対となった前記フック間にわたり掛け渡されたうえ、長さ調節され、止水シート５に引っ張りテンションをかけ、止水シート５をブロック体３に押圧して固定する。前記フック８と緊締ベルト１０で止水シート５の固定手段を構成する。
【００２５】
図１，２において、１１はシート巻回収納庫２を構成してブロック体３の上方に設置された埃除け用のアルミ製化粧カバーである。
【００２６】
次に、上記実施形態の施工手順について説明する。この例では止水シート巻上装置を含むシート巻回収納庫２、ブロック体３、フック８は、非常時を想定して事前に設置しておく。また、シート巻回収納庫２内に収納され巻芯に巻回された止水シートの外端部５ａとブロック体３の上部頂面を適宜の加熱手段により溶着しておく。一方、アングル７と、緊締ベルト１０は、図示していない収納容器に入れ保管しておき、非常時に現場の扉近くに運びこむ。
【００２７】
建物の浸水が起きそうな非常時になったら、作業者は、まずシート巻回収納庫２内の巻上装置のフック１８をフック掛穴１９から外し、止水シート５を巻芯１４ごと下方開口部から扉Ｄのある下方へ手動にて取り出し、引き伸ばす。そして、止水シート５のこの引き伸ばしにより止水シート５の裏面にあるゴムパッキン６がブロック体３と対応する位置にきたら、位置合わせを行う。これにより、扉Ｄの前はブロック体３と止水シート５で完全に覆われた状態になる。
【００２８】
その後、前記した収納容器に収納しているＬ形アングル７を取り出し、ブロック体３の左右側部と上下部に当接させ、止水シート５が上下左右に弛みやズレがないようにブロック体３とで挟み込みむとともに、同様に取り出した緊締ベルト１０を長さ調節し、ブロック体３の左右にあるフック８に引っ掛け、締め付け固定する。止水シート５は、これによりその四つの縁部がアングル７で補強された状態になり、前記ゴム板で滑りが防止され、しっかり固定される。
【００２９】
これにより施工が終了する。図５，６は施工終了時を示す。
【００３０】
前記の施工作業は、シート巻回収納庫２内からの止水シート５の引き伸ばしと、アングル７の取り付け、それと緊締ベルト１０掛けだけであり、通常、作業者２人以下で行うことができるとともに、短時間の作業で設置が可能である。しかも、扉Ｄを全高にわたりシート５で被うので、従来できなかった扉Ｄの全高にわたる浸水にも十分に対応することができる。また、機械・電気式ではなく、すべて手動で行えるため、非常時でも支障なく対応することができるという利点もある。
【００３１】
すなわち、水害による大規模停電によってライフラインが一時停止しても、建物の設備等の損傷を抑えられるため、停電等の復旧後も直ちに使用が可能となる。建物のポンプ室・電気室等は、建物の地階に設置されているケースが多く、洪水等により建物が浸水すると最初に被害に遭いやすいし、浸水の高さも大きくなるが、このような場合でも扉からの浸水を完全に防止することが可能なので、非常に利用価値が高いものとなる。
【００３２】
なお、危険がなくなったときは、緊締ベルト１０を外すとともに、アングル７を外す。これにより、止水シート５は再び巻芯１４に巻回することが可能になるので、巻き取ったうえ、図示しないバンド等で固定する。そして、巻芯１４上のガイド板１６をシート巻回収納庫２内のフック１８に引っ掛ける。これにより、元の状態に復帰させることができる。
【００３３】
以上説明したように、この実施の形態の扉止水装置によれば、扉Ｄの全高を超えるような浸水が起こっても扉Ｄからの浸水を防ぐことができる。したがって、扉Ｄの内側にあるポンプ室や電気室をはじめとする室の内部への浸水がなくなり、この技術分野において極めて利用価値の高い扉止水方法ないし設備を提供することができるという優れた効果が期待することができる。
【００３４】
図７は、ブロック体の変形例を示す要部拡大図である。このブロック体３０は扉Ｄの下端が床スラブに段差無く位置しているため、その形状が前記したブロック体３とは相違している。すなわち、ブロック体３０の下部３０ａは上部、左右側部とは別体となっており、その寸法は高さが建物壁側に設置された扉枠２１と同高程度、幅が上部、左右側部の倍程度（２００ｍｍ程）となって平面視長方形の肉薄プレート状に形成されている。下部３０ａ以外の上部、左右側部はブロック体３のそれと同じである。この下部３ａも図１で示したブロック体と同様に硬質塩化ビニール樹脂からなっている。
【００３５】
ブロック体３０の下部３０ａの上面には左右側部の下面が載置されている。ブロック体３０の左右側部の前面、下部３０ａの上面にはパッキン付き止水シート５が下端部をＬ字状に折り曲げて取り付けられ、ブロック体３０で形成される開口を覆っている。２２は止水シート押え用ブロックで、ブロック体３０を対角状に半割した三角形形状を呈しており、前記のように配置され止水シート５の下部の折り曲げ部を押さえるように配置される。この押えブロック２２は別途床スラブに取り付けた左右一対のフック２３に引っ掛けられ緊締ベルト２４で長さ調節され、締め付け固定されている。
【００３６】
前記のようなブロック体３０を用いれば、扉Ｄ下部の、床スラブとの間に十分な隙間が無い場合にも支障なく扉止水装置１を設置することができる。また、扉Ｄ以外の各種の扉（引き違い扉等）にも対応することが可能となる。
【００３７】
図８は窓に適用した例を示す。すなわち、この窓は引き違い扉（アルミ製・ガラス製等）の一種であり、建物の半地下や一階などに設置されるが、このような窓にも適用することが可能である。
【００３８】
この実施の形態で示したブロック体３や止水シート５などの構成部材は、あくまでも好ましい一例を示すものであり、その具体的な形状や構造、材質等は特許請求の範囲内で適宜設計変更が可能であることは云うまでもない。
【符号の説明】
【００３９】
１  扉止水装置
２  シート巻回収納庫
３，３０  ブロック体
３０ａ  下部
５  止水シート
６  ゴムパッキン
７  Ｌ形アングル
８  フック
１０  緊締ベルト
１１  化粧カバー
１３  シーリング剤
１４  巻芯
１６  ガイド板
１７  吊りベルト
１８  フック
１９  フック掛け穴
２１  扉枠
２２  三角形ブロック
２３  フック
２４  緊締ベルト
Ｄ  扉
【要約】      （修正有）【課題】洪水などの非常時に建物の室内へ浸水が入り込むのを防止するものであって、扉の全高さにわたり水嵩が上がっても浸水を防止することができる扉止水方法及び装置を提供する。【解決手段】左右側部と上下部が連続した四角形状の枠体からなり、室内へ浸水による水の浸入可能性のある扉Ｄの周りを包囲するように建物壁に設置されたシート受け用部材と、このシート受け用部材と縦横の寸法がほぼ等しく形成されてシート受け用部材の上方の壁に巻回状に設置され、巻回方向の外端部が前記シート受け用部材の上部に固着された止水シート５と、前記シート受け用部材の外側の壁に前記扉を挟むように複数個設置されたフック８と、前記止水シートの裏面における前記シート受け用部材と対応する位置に設けられた水密保持部材と、この水密保持部材が設けられた止水シートとシート受け用部材を固定する緊締ベルト１０と、を備えている。【選択図】図６【図１】
0006915793.tif 000002
【図２】
0006915793.tif 000003
【図３】
0006915793.tif 000004
【図４】
0006915793.tif 000005
【図５】
0006915793.tif 000006
【図６】
0006915793.tif 000007
【図７】
0006915793.tif 000008
【図８】
0006915793.tif 000009